(57)【特許請求の範囲】
【請求項１】
内側に積層薄紙を収容する収容空間とこの積層薄紙の取出し口とが備わった容器本体と、前記取出し口を閉塞並びに解放するための左右対称形の一対の開閉蓋とが備わり、前記開閉蓋が前記容器本体の上壁にほぼ沿って平行にスライド出来るように装着されていると共に、両開閉蓋の対向する辺縁の間に両開閉蓋による前記取出し口の閉塞姿勢を保持するロック機構が設けられ、このロック機構は両開閉蓋のいずれか一方の前記辺縁上面を押圧することでロック解除可能に構成され、かつ、両開閉蓋の閉塞位置を保ち、互いに他方の開閉蓋側への移行を防止するストッパーが備わっていることを特徴とするスライド式開閉蓋を有する収納容器。
【請求項２】
内側に積層薄紙の収容空間を備え、上壁が弧状に形成されていて、この上壁に積層薄紙の取出し口が備わった容器本体と、前記取出し口を閉塞並びに解放するための前記上壁の円弧形状に沿って円弧状に形成された左右対称形の一対の開閉蓋とを備え、前記容器本体には前記開閉蓋が前記容器本体の上壁の弧状面にほぼ沿って平行にスライドできるようにこれを案内するガイドが備わっていると共に、開閉蓋の対峙する辺縁の間にこの開閉蓋による前記取出し口の閉塞姿勢を保持するロック機構が設けられ、このロック機構は開閉蓋の前記辺縁上面を押圧することでロック解除可能に構成され、かつ、両開閉蓋の閉塞位置を保ち、互いに他方の開閉蓋側への移行を防止するストッパーが備わっていることを特徴とするスライド式開閉蓋を有する収納容器。
【請求項３】
内側に積層薄紙の収容空間を備え、上壁が弧状に形成されていて、この上壁に積層薄紙の取出し口が備わった容器本体と、前記取出し口を閉塞並びに解放するための前記上壁の円弧形状に沿って円弧状に形成された左右対称形の一対の開閉蓋とを備え、前記容器本体には前記開閉蓋が前記容器本体の上壁の弧状面にほぼ沿って平行にスライドできるようにこれを案内するガイドが備わっていると共に、開閉蓋の対峙する辺縁の間にこの開閉蓋による前記取出し口の閉塞姿勢を保持するロック機構が設けられ、このロック機構は開閉蓋の前記辺縁上面を押圧することでロック解除可能に構成され、かつ、両開閉蓋の閉塞位置を保ち、互いに他方の開閉蓋側への移行を防止するストッパーが備わっていると共に、前記ロック機構によるロックが解除された後にこの開閉蓋を弾性反発力によって強制的に開き方向へ押圧する解放機構が備わっていることを特徴とするスライド式開閉蓋を有する収納容器。
【請求項４】
ガイドは容器本体の左右の壁面下部に形成されたガイドレールと前記開閉蓋の左右の垂下壁の下部に設けられ、前記ガイドレールに嵌め込まれた駒とで構成されている請求項１又は２のいずれかに記載のスライド式開閉蓋を有する収納容器。
【請求項５】
開閉蓋の辺縁上面には部分的に粗面に形成された押圧面が設けられている請求項１〜３のいずれかに記載のスライド式開閉蓋を有する収納容器。
【請求項６】
ロック機構は一方の開閉蓋辺縁の左右中央部から他方の開閉蓋辺縁の上壁側に向かって膨出した突部を備えて一体的に突設された係合突部と前記他方の開閉蓋辺縁の中央部に対向する部位の下面に一体に設けられた下向きに開口させた係止凹部とから構成されている請求項１〜４のいずれかに記載のスライド式開閉蓋を有する収納容器。
【請求項７】
開閉蓋は取出し口左右幅方向の２分の１の開口幅よりもやや長寸に形成されていて、開放姿勢でこの取出し口の上方を開放すると共に、容器本体の側面からの側方への突出量がこの開閉蓋のスライド方向の幅のほぼ３分の１以下に設定されている請求項１〜５のいずれかに記載のスライド式開閉蓋を有する収納容器。
【請求項８】
積層薄紙がウエットティッシュである請求項1 乃至請求項 7のいずれかに記載のスライド式開閉蓋を有する収納容器。
【発明の詳細な説明】
【技術分野】
【０００１】
この発明は、ウエットティシュ等、主として家庭で用いられている、多数枚が積層された薄紙を収納するための収納容器に関する。
【背景技術】
【０００２】
従来から、人体等を拭ったり、家屋の床やトイレ等を拭いりするため等の積層薄紙を収納する収納容器が知られている。
この種の家庭用の積層薄紙の収納容器は、例えば、内側にそのまま集積されたもしくは個包装された積層薄紙を収容する収容空間と、この積層薄紙の取出し口を上部に備えた容器本体と、この容器本体の上部に回動自在に設けられて取出し口を開放及び閉塞する開閉蓋とを備えたものが存在したり、提案されていたりする。そして、何れもが開閉蓋を上向きに回動させて取出し口を開放し、この取り出し口から積層薄紙を引き出して使用する。使用後は開閉蓋を下向きに回動させて取出し口を閉塞し、積層薄紙に塵や埃が付着するのを防止するようにしてある。（例えば特許文献１〜８参照）。
【発明の概要】
【発明が解決しようとする課題】
【０００３】
ところで、従来のこの種収納容器は、多くのものが開閉蓋を開放した際に、この開閉蓋が上方へ立ち上がってその開放姿勢を保っている（特許文献１〜６参照）。
翻って、この種積層薄紙を容器から引き出す際の状況は、特に赤ちゃんなどの乳幼児のおしり拭きとして使用する場合においては、片方の手に乳幼児を抱きかかえていたり、乳幼児の足首などを持っていたりといった状況など、往々にして片側の手が塞がっている場合に使用されることが多いのが良く知られている事実である。
【０００４】
したがって、この片手が塞がっている状況下で、空いているもう片方の手で積層薄紙を容器から引き出そうとしても、特に容器の背側からでは開閉蓋がその引き出しを邪魔して、また、視界を遮って、中々上手く引き出せないのが常であった。
【０００５】
一方、種々検討の過程で、開閉蓋をその閉塞姿勢から１８０度反転して、取出し口を大きく解放するものも見られる（特許文献７〜８参照）。
【０００６】
しかし、このタイプは開閉蓋をその閉塞姿勢に保つためのロック構造が、一般的には、開閉蓋から一体に突設させた係合片を容器本体に連設したプッシュ片に係合する構造（特許文献６〜７参照）であったり、開閉蓋に設けたノッチを容器本体の係合凹部に係止させる等であったりする。そのために、早期の内に係合力が弱まり、開閉蓋が開きっぱなしになったり、係合片とプッシュ片の係合に不具合が生じて、開け難く、開放作業に時間がかかったりする問題点が見られる。そして、何れの場合にも開放姿勢にあるときの開閉蓋が、容器本体の側方へ大きく突出し、手足に引っ掛かったりするために、取り扱い上問題がある。
【０００７】
そこでこの発明の課題は、たとえ片手が塞がっていても、容器本体のどちら側からでも積層薄紙を容易に、素早く引き出せるようにする点である。
【課題を解決するための手段】
【０００８】
以上の技術的な課題を解決するために、この発明の請求項１記載のスライド式開閉蓋を有する収納容器は、内側に積層薄紙を収容する収容空間とこの積層薄紙の取出し口とが備わった容器本体と、前記取出し口を閉塞並びに解放するための左右対称形の一対の開閉蓋
とが備わり、前記開閉蓋が前記容器本体の外壁にほぼ沿って平行にスライド出来るように装着されていると共に、両開閉蓋の対向する辺縁の間に両開閉蓋による前記取出し口の閉塞姿勢を保持するロック機構が設けられ、このロック機構は両開閉蓋のいずれか一方の前記辺縁上面を押圧することでロック解除可能に構成され、かつ、両開閉蓋の閉塞位置を保ち、互いに他方の開閉蓋側への移行を防止するストッパーが備わっている構造を採用したものである。
【０００９】
以上の構成によれば、開閉蓋の辺縁を押圧することでロックを解除でき、しかも開閉蓋を取出し口の存在仮想平面と平行に横移動させることによって取出し口を開放できるので、容器本体の何れの側からでも、取出し口をしっかり視認できながら、しかもワンタッチで簡便に開閉蓋の開閉が可能になる。
【発明の効果】
【００１０】
従って、この発明の請求項１に記載のスライド式開閉蓋を有する収納容器は、開閉蓋が立ち上がって開放姿勢を保つ従来品やロック機構の作動が不安定な従来品と違って、収納容器の向きに関わりなく、どちらの側からも簡便に開閉蓋を開閉でき、併せて開閉蓋に邪魔されることなく、的確、かつ、素早く積層薄紙取出し口から引き出すことができる。
【００１１】
また、上記の技術的な課題を解決するために、この発明の請求項２に記載のように、内側に積層薄紙の収容空間を備え、上壁が弧状に形成されていて、この上壁に積層薄紙の取出し口が備わった容器本体と、前記取出し口を閉塞並びに解放するための前記上壁の円弧形状に沿って円弧状に形成された左右対称形の一対の開閉蓋とを備え、前記容器本体には前記開閉蓋が前記容器本体の上壁の弧状面にほぼ沿って平行にスライドできるようにこれを案内するガイドが備わっていると共に、開閉蓋の突き合わせ辺縁の間にこの開閉蓋による前記取出し口の閉塞姿勢を保持するロック機構が設けられ、このロック機構は開閉蓋の前記辺縁上面を押圧することでロック解除可能に構成され、かつ、両開閉蓋の閉塞位置を保ち、互いに他方の開閉蓋側への移行を防止するストッパーが備わっているものである。
【００１２】
以上の構成によるスライド式開閉蓋を有する収納容器においては、図１、図２、図４（Ａ）に示すように、開閉蓋がロック機構によって取出し口を覆い、収納空間内の積層薄紙が乾燥するのを防止しながら、閉塞姿勢を保っている。この状態から収納空間内の積層薄紙を取り出すには、一方の開閉蓋の辺縁部を指先などで押圧して、開閉蓋を押しやり、撓ませる。この撓みによって、両開閉蓋のロック状態が解除される。ロックが解除された後は、容器本体の向きはそのままで、先ほどの両開閉蓋の辺縁を親指と人差し指を開くようにして押し広げる。このようにすることで、図３、図４（Ｂ）、図５に示すように、両開閉蓋は容器本体の上壁の弧状面にほぼ沿って平行にスライドする。このスライドはガイドによって円滑に達成される。開閉蓋が取出し口を開放したら、指先で積層薄紙を引き出す。開閉蓋は取出し口の両側へ移るだけであるから、容器本体の向きによって開閉蓋が視界を遮って取出し口が見え難くなることがなく、容器本体の何れの側からでもこの取出し口を的確に視認できる。
【００１３】
積層薄紙を使い終わって取出し口を閉塞するには、図３、図４（Ｂ）、図５に示した開放姿勢から、両開閉蓋辺縁のプッシュ部に親指と人差し指の指先を添えて両開閉蓋を閉止方向へ引き寄せるようにして、両開閉蓋をガイドに沿ってスライドさせる。最終段階でやや強く引き寄せてロック機構を作動させ、図１、図２、図４（Ａ）に示す閉塞姿勢を保つようにする。
【００１４】
従って、この発明の請求項２記載のスライド式開閉蓋を有する収納容器は、両開閉蓋のいずれか一方の辺縁を押圧することでロックを解除でき、しかも開閉蓋を取出し口の存在仮想平面と平行に横移動させることによって取出し口を開放できるので、容器本体の何れ
の側からでも、取出し口をしっかり視認できながら、しかもワンタッチで簡便に開閉蓋の開閉が可能になる。
その結果、開閉蓋が立ち上がって開放姿勢を保つ従来品やロック機構の作動が不安定な従来品と違って、収納容器の向きに関わりなく、どちらの側からも簡便に開閉蓋を開閉でき、併せて開閉蓋に邪魔されることなく、的確、かつ、素早く積層薄紙を取出し口から引き出すことができる。
【００１５】
また、この発明に係るスライド式開閉蓋を有する収納容器は、請求項３に記載されるように、内側に積層薄紙の収容空間を備え、上壁が弧状に形成されていて、この上壁に積層薄紙の取出し口が備わった容器本体と、前記取出し口を閉塞並びに解放するための前記上壁の円弧形状に沿って円弧状に形成された左右対称形の一対の開閉蓋とを備え、前記容器本体には前記開閉蓋が前記容器本体の上壁の弧状面にほぼ沿って平行にスライドできるようにこれを案内するガイドが備わっていると共に、開閉蓋の対峙する辺縁の間にこの開閉蓋による前記取出し口の閉塞姿勢を保持するロック機構が設けられ、このロック機構は開閉蓋の前記辺縁上面を押圧することでロック解除可能に構成され、かつ、両開閉蓋の閉塞位置を保ち、互いに他方の開閉蓋側への移行を防止するストッパーが備わっていると共に、前記ロック機構によるロックが解除された後にこの開閉蓋を弾性反発力によって強制的に開き方向へ押圧する解放機構が備わった構成とすることができる。
【００１６】
この構成によると、請求項１に記載された発明の効果をそのまま発揮しながら、更に加えて、解放機構による弾性反発力によって、開閉蓋が強制的に開き方向へ押しやられ、その結果、ロック解除後の開閉蓋の開放動作を素早く行える。したがって、急いで収納容器から積層薄紙を取出すときにも、一層軽い力で、素早く、また的確に行える。
【００１７】
また、この発明に係るスライド式開閉蓋を有する収納容器は、請求項４に記載されるように、ガイドは容器本体の左右の壁面下部に形成されたガイドレールと前記両開閉蓋の左右の垂下壁の下部に設けられ、前記ガイドレールに嵌め込まれた駒とで構成されるのが望ましい。
開閉蓋の開閉動作を一層的確、かつ迅速、更にスムーズに行えるからである。
【００１８】
また、請求項５に記載のように、両開閉蓋の若しくはいずれか一方の開閉蓋の辺縁上面には部分的に粗面に形成された押圧面に形成されるのが望ましい。
指先の開閉蓋に対するフィット感を高め、引っ掛かりを的確にして、開閉を的確、かつ、素早く行えるからである。
【００１９】
更に、請求項６に記載のように、ロック機構は一方の開閉蓋辺縁の左右中央部から他方の開閉蓋辺縁の上壁側に向かって膨出した突部を備えて一体的に突設された係合突部と前記他方の開閉蓋辺縁の中央部に対向する部位の下面に一体に設けられた下向きに開口させた係止凹部とから構成されるのが望ましい。
簡易な構造で、廉価に提供できるからである。
【００２０】
また、請求項７に記載のように、開閉蓋は取出し口左右幅方向の２分の１の開口幅よりもやや長寸に形成されていて、開放姿勢でこの取出し口の上方を開放すると共に、容器本体の側面からの側方への突出量がこの開閉蓋のスライド方向の幅のほぼ３分の１以下に設定されるのが望ましい。
開閉蓋が大きく側方へ食み出す従来品と違って、側方への突出量が可及的に小さく、安全に取り扱えるからである。
【００２１】
さらに、請求項８に記載のように、積層薄紙としては、ウエットティッシュペーパーを用いるのが望ましい。
この発明に係るスライド式開閉蓋を有する収納容器の機能を最も理想的にはたらかせることができるからである。
【図面の簡単な説明】
【００２２】
【図１】この発明に係るスライド式開閉蓋を有する収納容器の実施例を示し、一部を取出して拡大した要部の拡大図を含む、開閉蓋を閉めた時の中央部分の説明断面図である。
【図２】開閉蓋を閉めた状態を示す全体外観図である。
【図３】開閉蓋を開いた状態を示す全体外観図である。
【図４】全体側面図で、（Ａ）は開閉蓋を閉めた時の側面図、（Ｂ）は開閉蓋を開いた時の側面図である。
【図５】開閉蓋を開いた時の中央部分の説明断面図である。
【図６】ガイドと開閉蓋の関係並びにストッパーを示し、一部を取出して拡大した要部の拡大図を含む、図４（Ａ）中Ａ−Ａ線一部切り欠き説明断面図である。
【図７】開閉蓋の開閉構造に係る変形例を示し、開閉蓋を閉めた時の中央部分の説明断面図である。
【図８】同変形例の開閉蓋を閉めた状態を示す全体外観図である。
【図９】同変形例の開閉蓋を開いた状態を示す全体外観図である。
【図１０】同変形例の（Ａ）は開閉蓋を閉めた時の一部切り欠き側面図、（Ｂ）は開閉蓋を開いた時の一部切り欠き側面図である。
【図１１】同変形例の開閉蓋を開いた時の中央部分の説明断面図である。
【図１２】この発明に係るスライド式開閉蓋を有する収納容器の更に別の変形例を示した一部切り欠き側面図である。
【図１３】ロック機構の変形例を示す要部の拡大断面図である。
【図１４】ウエットティシュの乾燥予防構造を示す全体外観図である。
【発明を実施するための最良の形態】
【００２３】
以下、この発明に係るスライド式開閉蓋を有する収納容器をウエットティッシュペーパーの収納容器に適用した場合の実施の形態を図１〜６の記載に基づいて説明する。
【００２４】
この発明のスライド式開閉蓋を有する収納容器１は、容器本体２と、この容器本体２の上壁３の中央部分に形成されたウエットティシュなどの積層薄紙（以下単にウエットティッシュと称するが、あくまでも一例であって、ウエットティッシュに限定されるものでないことは言うまでもない）Ｐの取出し口４と、この取出し口４を開閉する左右対称形に形成された一対の開閉蓋５とを具備する。
【００２５】
容器本体２は、例えば硬質ポリエチレン、ポリプロピレンなどの合成樹脂を素材にして、ほぼ直方体として形成されている。この容器本体２の底壁６は、図１、図５、図６に示すように、容器本体２の周壁７に対して凹凸縁８を介して着脱自在に嵌合させる。凹凸縁８の嵌合により、容器本体２内が密封状態に保たれる。凹凸縁８の嵌合を解除してこの底壁６を外すことによって、容器本体２の収納空間Ｓ内にウエットティシュＰを収納できる。
【００２６】
次に、取出し口４の構成について、図１、図３、図５、図６の記載に基づいて説明する。
容器本体２の上壁（天壁）３の中央部分を収納空間Ｓ側に矩形にやや凹没させて凹部９を一体的に形成する。そして、この凹部９の中央に前記取出し口４が形成される。開口の形状は容器本体２の長手方向（図１上において紙面の奥行き方向）に延びるようにして、円形、楕円形、長方形、更には波型、十字型など種々選択される（図外）。また、この容器本体２の上壁３は、容器本体の長手方向に直行する方向、つまりは幅方向（図１におい
て紙面の左右方向）で、中央部が軽く上方に盛り上がっていて、容器本体全体としては、側面視ほぼかまぼこ型を呈する。
【００２７】
開閉蓋５は、左右一対で、図１〜図５に明示するように、左右合わせて容器本体２の前記幅方向の寸法のほぼ３分の２の幅を備えている。この開閉蓋５は、例えば硬質ポリエチレン、ポリプロピレンなどの合成樹脂を素材にして形成されている。夫々は上壁３の形状に合わせて中央部が軽く上方に盛り上がった円弧状の閉塞板部分１０と、この閉塞板部分１０の両端から前記容器本体２の左右の周壁７Ａに沿って下方へ一体に垂下された脚部分１１から構成されている。左右一対の開閉蓋５は前記上壁３の弧状面にほぼ沿って平行に、後述のガイド溝１２に案内されてスライドできる。そして、収納容器２の幅方向中央で互いに対向する辺縁１３を突き合わせた閉止時には両開閉蓋５によって前記凹部９の全域上方を覆うことが出来るよう左右幅の寸法が設定されている。また、両開閉蓋５はその閉塞位置を保ち、互いに他方の開閉蓋５側へ移行しないように後述のストッパー１４でその閉止位置が保たれるように構成されている。更に、前記閉塞板部分１０のいずれか一方の辺縁１３の中央部分上面には部分的に粗面にした押圧面１０Ａ（図２、図３上ＰＵＳＨ表示部位）が形成されている。指先の開閉蓋５に対するフィット感を高め、引っ掛かりを的確にして、開閉を的確、かつ、素早く行えるようにするためである。粗面の形態としては、砂状の凹凸形状や複数の凸状リブ、更には複数の凹状溝などを用いることができる。
【００２８】
図１、図５、特に図６に示すように、この脚部分１１の下端には夫々内側に突設するスライド駒１５が一体に設けられている。このスライド駒１５は、容器本体２の長手方向の両側、つまり前記左右の周壁７Ａの外面下方に、断面コの字型に凹没させて設けられたガイドの一例としての前記ガイド溝１２に滑動自在に嵌合されている。このガイド溝１２は、前記上壁３の曲率に合わせてほぼ同じ曲率でカーブし、容器本体２の左右の前記周壁７Ａの左右中央部分からほぼ前後の周壁７Ｂ近傍で、容器本体２周壁７の下端に設けられた外向きフランジ７Ｄにわたって設けられている。従って、開閉蓋５は脚部分１１を介して、この上壁３の曲率に沿って上壁３に平行に、引分け戸状にスライドでき、スライド行程の最終段階で、脚部分１１の一端がこのフランジ７Ｄに突き当ってそのスライドが終了する。この時の開閉蓋５の前後の周壁７Ｂ側の突出量は、この発明では、図３、図４（Ｂ）、図５に示すように、夫々概ね開閉蓋５の横幅寸法のほぼ３分の１程度に設定されている。
【００２９】
尚、図６に示すように、前記開閉蓋５の両脚部分１１に設けられたスライド駒１５同士の間隔Ｋ１はガイド溝１２の底同士の間隔Ｋ２と同等若しくはやや広く、かっ、容器本体２左右の周壁７Ａの外面同士の間隔Ｋ３よりは狭い寸法に設定されていることは改めて言うまでもない。要するに、スライド駒１５をガイド溝１２から簡単に離脱させず、スムーズに開閉動できるようにするために形成されたものである。
【００３０】
両開閉蓋５の互いに対向する前記辺縁１３の間に、開閉蓋５による前記取出し口４の閉塞姿勢を保持するロック機構１６が設けられている。
このロック機構１６は、図１、同図の拡大部分、図５に示すように、一方の開閉蓋５辺縁１３（図２〜４参照）の下面に設けられた係合凹部１７と、他方の開閉蓋５の辺縁１３に前記一方の開閉蓋５側に向けて一体に突設された係止突起１８とから構成される。係合凹部１７並びに係止突起１８は共に、この開閉蓋５の長手方向（容器本体２の長手方向）の中央部分に相当する位置に設けられている。係合凹部１７は一方の開閉蓋５の辺縁１３からやや内側に入った部位の下面を上方に円弧状に凹入させて形成されている。また、係止突起１８は先端に前記係合凹部１７に下方から嵌合する上方へ円弧状に膨出された突部１９を備えている。凹部１７と突部１９を円弧状に形成したのはロックの係脱を容易、且つ、軽くするためである。
【００３１】
前記係止突起１８と前記係合凹部１７とのロック並びに解除、つまりは開閉蓋５の開閉は次のように行われる。
先ず、開閉蓋５を開くには、図１、図２、図４（Ａ）の閉塞位置にある状態から、他方の開閉蓋５の辺縁１３の中央部分を、例えば人差し指で下方へ押圧する。これによって、辺縁１３を下方へ撓ませて係止突起１８を下方へ押圧する。これによって、辺縁１３を下方に撓ませて係止突起１８を下方へ移行させる。この押圧によって、係止突起１８の突部１９は係合凹部１７から下方へ離脱する。この状態で一方の開閉蓋５の辺縁１３にも親指を添えて、両指を開くようにして開閉蓋５を互い引き離すことによってロックの解除が果される。引き続き、両開閉蓋５を、左右に引き離すことによって、図３、図４（Ｂ）、図５に示すように、凹部９、つまりは取出し口４上方が開放される。
【００３２】
次に、開閉蓋５を閉じるには、図３、図４（Ｂ）、図５の開放位置にある状態から、例えば親指と人差指を夫々一対の開閉蓋５の辺縁１３に添えて、中央に向かって互いを引き寄せる。引き寄せの最終段階では、前記一方の開閉蓋５の係合凹部１７へ至る手前の下面と前記突部１９が接触した下方へやや弾性変形して押圧されながら突き進む。係合凹部１７に至ると、下方への押圧力が解除されることで、弾性復元してこの突部１９が係合凹部１７内へ移行して嵌め込まれ、これによってロックが果される。その結果、開閉蓋５が閉じられ、図１、図２、図４（Ａ）に示すように、凹部９、つまりは取出し口４の上方は左右一対の開閉蓋５で閉塞される。
【００３３】
また、図１に示すように、開閉蓋５の下面と容器本体２の前記上壁３の上面との間には、この開閉蓋５の下方への撓みを許して係合凹部１７から係合突起１８の離脱を許し、合わせて開閉蓋５の左右のスライドを円滑に行わせるように、隙間２０が存在するように構成されている。この隙間２０は、開閉蓋５の下面が上壁３の上面よりやや高い位置にあるように、脚部分１１の寸法を設定することで形成されている。
【００３４】
両開閉蓋５はその閉塞位置を保ち、互いに他方の開閉蓋５側へ移行しないように、図６に示すストッパー１４でその閉止位置が保たれる。
このストッパー１４は、以下のように構成される。
図３、図４（Ｂ）、特に図６に示すように、容器本体２の左右の周壁７Ａの中央部で、左右の周壁７Ａが上壁３と連なる上縁部分に、夫々の開閉蓋５のスライド量に見合った所定長さの、この左右の周壁７Ａ表面から容器本体２の内側に凹没させて断面形状Ｌ形の凹部２１が設けられる。また、前記各開閉蓋５の脚部分１１の上部内側にこの凹部２１に嵌り込む駒部材２２が設けられている。したがって、この凹部２１の容器本体２の幅方向の中心側に位置する段部２１Ａに前記駒部材２２が当接することで、夫々の開閉蓋５は他方の開閉蓋存在側へ移行するのを阻止される。その結果、丁度容器本体２の左右中心部分で開閉蓋５は互いの辺縁１３を突き合わせた姿勢で、所期の閉塞位置を保つように構成されている。
【００３５】
尚、前記夫々の開閉蓋５のスライド量に見合った所定長さとは、開閉蓋５の図１に示す閉塞位置から図５に示す開放位置に至る移動長さで、開閉蓋５の脚部分１１がフランジ７Ｄに突き当てて開放側への移行が阻止されるまでの距離を言う。凹部２１はこの開閉蓋５の移動長さに前記駒部材２２の幅を加えた長さとほぼ同等もしくはやや長目であることが必要であることは言うまでもない。
【００３６】
次にこの発明の第２の実施例について、図７〜１１の記載に基づいて説明する。
以下に説明するこの第２の実施例では、収納容器２からウエットティッシュＰを取出す際の緊急性を勘案して、開閉蓋５の開放姿勢への動きをより一層軽い力で、素早く、また的確に行えるようにすることを意図して開発されたものである。
基本的な考え方は、ロック機構１６によるロックが解除された後に、この開閉蓋５をス
プリングの弾性反発力によって強制的に開き方向へスライドするようにし、ロック解除後の開閉蓋５の開放動作を素早く行えるようにしたものである。
【００３７】
ロック機構１６によるロックが解除された後にこの開閉蓋５を弾性反発力によって強制的に開き方向へスライドする解放機構は以下に記す樹脂ばねで構成される。
図８、１２に示すように、夫々の開閉蓋５の前記辺縁１３とは反対側の縁２３の下面に樹脂ばね２４が装着されている。この樹脂ばね２４を、開閉蓋５閉塞時に前記凹部９の前後の立ち上がり壁９Ａに弾性反発力に抗して当接させ、ロック機構１６のロック状態が解除されると、樹脂ばね２４の弾性反発力で開閉蓋５が一挙に開放されるようになっている。
【００３８】
樹脂ばね２４は薄板状の長方形状の板ばねが中央で二つ折にされ、この二つ折り部２４Ａが前記凹部９側に向けられた姿勢で、基端側の二枚重ね部分２４Ｂが開閉蓋５の下面にピン止め２５など適宜の手段で固定される。樹脂ばね２４の長さは、適宜設定されるが、図例では開閉蓋５の幅のほぼ２分の１〜３分の１程度である。二つ折り部２４Ａはループになるので、凹部９の前後の立ち上がり壁９Ａに当接すると、この壁９Ａに沿って中間部分から上手く折れ曲がるようにして下方へ移行する。この折れ曲がりによって、弾性反発力が蓄えられる。また、この樹脂ばね２４の移行と開閉蓋５の閉塞時の折れ曲がり姿勢を許容するために、前記凹部９の前後の立ち上がり壁９Ａの外側で、容器本体２の長手方向中央部分に相当する部位には、前記上壁３を一部凹没させて凹入部２６が設けられている。凹入部２６の深さは、この凹入部２６の底壁２６Ａが、図例では、収納容器２内に収められた新規のウエットティシュ束の最上端面とほぼ同等の高さ位置にあるように設定されている。樹脂ばね２４の素材としては、ポリウレタンなどの合成樹脂製またはシリコンゴム、ブタジエンゴム、エチレン―プロピリンゴムなどのゴム製のものを用いることができる。また、金属ばねを前記樹脂ばねの代替として用いることもできる。
【００３９】
更に、この実施例では、容器の流通時に不必要に開閉蓋５が樹脂ばね２４によって開放されないように締め切り構造が付加されている。
具体的には、図７、図８に示すように、各開閉蓋５の前記辺縁１３の上面に、容器本体２の長手方向に所定の寸法を備えて一体に立ち上げられた鍔２７が設けられている。また、この両鍔２７を樹脂ばね２４の弾発力に抗してしっかりと突き合わせておくために、中央に両鍔２７の重ね合わせ寸法と同等若しくはやや長目の幅のスリット２８を備えた矩形の平板から成る拡開阻止具２９を有する。
従って、容器の流通時には閉塞姿勢にあって互いに突き合わせ状にある鍔２７をこの拡開阻止具２９の前記スリット２８に差し込んでおく。このようにすることによって、容器の流通時に不用意に開閉蓋５が開放されるのを上手く防止できる。
尚、その他の構成は上記実施例１と同様であるので、実施例１と同様の符号を付して、詳細な説明は省略する。
【００４０】
以上の各実施例では、上壁３を円弧状に形成し、収納容器２全体としては、側面視かまぼこ型に形成してあるが、この実施例３では、図１２に示すように、上壁３が扁平に形成されている。この上壁３の扁平形状に合わせて、開閉蓋５も水平に方向に沿った扁平に形成され、また、ガイド溝１５も水平に方向に沿って直線に形成されている。
この実施例３の場合も、開閉蓋５が開いたときに、その前後の周壁７Ｂからの出っ張る量が前記実施例１、２と同等で、開いている開閉蓋５が手足に引っ掛かったりする虞も少なく、取り扱い易い。
尚、その他の構成は上記実施例１と同様であるので、実施例１と同様の符号を付して、詳細な説明は省略する。
【００４１】
以上の各実施例において、必要に応じて、前記ロック機構１６のロック強度を強弱種々
選択出来るようにするのが望ましい。図１３に示す例は、上記各実施例のものと違って、強く締めたい時の構造を示す。係合凹部１７と係止突起１８との引っ掛かりを強くし、外れにくくしたものである。
具体的には、係合凹部１７の辺縁１３側をほぼ垂直な面とし、これに対応させて、前記係止突起１８の開閉蓋５の本体側に面する側を係合凹部１７の前記垂直な面に合わせてほぼ垂直に形成したものである。係合凹部１７と係止突起１８との引っ掛かりが強くなり、強い閉止が可能になる。
【００４２】
更に、１４図に示すように、前記凹部９の周囲に可撓性のある素材、例えばゴム素材や合成樹脂素材の立ち上がり壁３０を設けることができる。その立ち上がり高さは、開閉蓋５が凹部９上を覆った閉止時に、この開閉蓋５の下面にこの立ち上がり壁３０の上縁が丁度接触する程度である。つまりは、開閉蓋５の下面と下位の上壁３との間に形成されている前記隙間２０とほぼ同等寸法である。
ロック機構１６のロックを解除するために、開閉蓋５の辺縁１３を下方へ押圧して撓ませるが、この立ち上がり壁３０は可撓性であるから、自身が撓んでこの開閉蓋５の下方への撓みを許すので、ロックの解除はスムーズに行われる。
【００４３】
尚、前記実施例１では押圧面１０Ａが粗面に形成された例を示したが、これに代えて、第２の実施例に２７で示す鍔を採用することもできる。
設置位置は押圧面１０Ａを設けた位置と同じで、辺縁１３の中央部分の上面に一体に立ち上げて設けられている。
開閉蓋５の開閉時に、この鍔２７を指先で摘まむことによって、より一層的確に開閉蓋５の開閉を可能にする。
また、図１３に示す水平スライドの実施例においても、図７〜１１の実施例２に示す樹脂ばね２４を適用することもできる。この場合、当然に拡開阻止具２９を必要とすることは言うまでもない。
【００４４】
また、前記各実施例において、開閉蓋５の開放量は、前記凹部９の上方全域として説明をした。ウエットティッシュＰを最も引き出し易い、理想的な開放量であるからである。しかし、この発明では、必ずしもこの最適な開放量に拘るものではない。少なくとも取出し口４の上方を開放できるに足る開放量であればウエットティシュなどの積層薄紙Ｐは容易に引き出せるものであるから、最小限の開放量で効率良くウエットティッシュＰを引き出せる範囲として、少なくとも取出し口４を解放する量が必要であることは言うまでもなく、この発明では、開放量の範囲としては取出し口４の上方から凹部９の上方の全域にわたる範囲を含み、この範囲内で適宜に設定されるのが望ましい。
【００４５】
以上に示したこの発明に係るスライド式開閉蓋を有する収納容器は、単にウエットティッシュペーパー収納紙容器に適用されるに止まらず、各種軟質材収納容器、その他各種容器など、ワンタッチの開閉を必要とする分野へも適用できることは言うまでもない。
【符号の説明】
【００４６】
１…スライド式開閉蓋を有する収納容器
２…容器本体
３…上壁
４…取出し口
５…開閉蓋
７…周壁
７Ａ…左右の周壁
７Ｂ…前、後の周壁
９…凹部
１０…閉塞板部分
１１…脚部分
１２…ガイド溝
１３…辺縁
１４…ストッパー
１５…スライド駒
１６…ロック機構
２１…凹部
２２…駒部材
２４…樹脂ばね
２７…鍔
２９…拡開防止具
３０…立ち上がり壁
Ｐ…積層薄紙
Ｓ…収納空間
【先行技術文献】
【特許文献】
【００４７】
【特許文献１】特開２００８−１４３５７５号公報
【特許文献２】特開２００８−１３７６７８号公報
【特許文献３】特開２００８−１００７４９号公報
【特許文献４】特開２００６−３４７５５４号公報
【特許文献５】特開２００１−３４１７８８号公報
【特許文献６】特開２００５−１０４５３６号公報
【特許文献７】特開平１１−３４９０６６号公報
【特許文献８】特開平０８−１０４３７７号公報
【図１】
0005553000.tif 000002
【図２】
0005553000.tif 000003
【図３】
0005553000.tif 000004
【図４】
0005553000.tif 000005
【図５】
0005553000.tif 000006
【図６】
0005553000.tif 000007
【図７】
0005553000.tif 000008
【図８】
0005553000.tif 000009
【図９】
0005553000.tif 000010
【図１０】
0005553000.tif 000011
【図１１】
0005553000.tif 000012
【図１２】
0005553000.tif 000013
【図１３】
0005553000.tif 000014
【図１４】
0005553000.tif 000015